(57)【要約】【課題】無線通信部がひとつの演算部にのみ接続されていると、演算部は他方の演算部が外部機器との通信を行う際のデータの仲介処理を行う必要があり、処理効率が低下する。【解決手段】外部機器を識別する外部機器接続検出部９の信号により第一の演算部５及び第二の演算部６と無線通信部７との接続を切り替える切替え部８を設け、外部機器との接続状態に依存して第一の演算部５及び第二の演算部６と無線通信部７との接続を切り替えることにより、それぞれの演算部が無線通信部７を占有できるようにする。それぞれの演算部が無線通信部７を占有することでデータの仲介処理を不要とした。【選択図】　図１
2004028718.tif 000002
【特許請求の範囲】
【請求項１】
第一の演算部と、第二の演算部と、外部機器を検出する外部機器接続検出部と、第一の無線通信手段と、第二の演算部からの信号を第二の無線通信手段に伝達するポートを備え、前記外部機器接続検出部からの信号により、前記第一の無線通信手段と前記第一の演算部との接続および前記無線通信手段と前記第二の演算部との接続を切り替える線量計。
【請求項２】
第一の無線通信手段が第一の演算部と第二の演算部のどちらか一方に接続される請求項１記載の線量計。
【請求項３】
第一の無線通信手段が赤外線通信手段である請求項１または２に記載の線量計。
【請求項４】
外部機器接続検出部が充電用端子と充電用端子の電圧値を測定する電圧測定手段を有し、充電用端子の電圧値により、外部機器を検出する請求項１から３のいずれか１項に記載の線量計。
【請求項５】
外部機器接続検出部が充電用端子と充電用端子の電流値を測定する電流測定手段を有し、充電用端子の電流値により、外部機器を検出する請求項１から３のいずれか１項に記載の線量計。
【発明の詳細な説明】
【０００１】
【発明の属する技術分野】
本発明は、放射線の線量を測定する線量計に関する。
【０００２】
【従来の技術】
従来の線量計は、一つの演算部で線量計としての全ての機能を制御し、線量値のデータなどを外部機器と通信するための通信部を一つ具備していた。
【０００３】
近年、線量計の機能として放射線の測定だけでなく大量のデータ保存機能や通信機能の高度化が求められるようになり、一つの演算部ではすべての処理を遅滞なく処理することが困難となってきている。
【０００４】
このような問題を防止するため、演算部を複数設け、処理の分散化を行うのが一般的である。
【０００５】
図３に演算部を複数設けた線量計のブロック図を示す。
【０００６】
図３に示す通り、演算部を複数設けた線量計２０は、放射線を検出するセンサ部１、測定した放射線の被ばく線量などを表示する表示部２、放射線が規定値を超えた場合など作業者に危険を知らせる警報部３、測定データなどを記憶するメモリ部４、線量計を構成する各部の制御を行う第一の演算部５、第一の演算部５の処理の一部を負担する第二の演算部６、外部機器とデータの送受信を行う無線通信部７を備えている。
【０００７】
第一の演算部５は、センサ部１、表示部２、ブザー部３、メモリ部４を制御し、無線通信部７を介して外部機器とデータの送受を行う（以下、これらの処理を本来業務という）。第二の演算部６は、第一の演算部５が処理しきれない処理を分担する。
【０００８】
これらふたつの演算部を設けることにより線量計としての機能を遅滞なく実行するようにしている。
【０００９】
【発明が解決しようとする課題】
上記従来の構成では、第二の演算部６が外部機器とのデータ送受を必要とした場合に第一の演算部５にのみ無線通信部７が接続されているため、第一の演算部５が第二の演算部６と無線通信部７とのデータ仲介処理を実行する必要がある。このとき、第一の演算部５はデータ仲介処理に専念することとなり、第一の演算部５の本来業務を行うことができなくなるという課題があった。
【００１０】
本発明は、上記の課題に鑑み、それぞれの演算部での処理効率の向上をはかるための手段を提供することを目的とする。
【００１１】
【課題を解決するための手段】
上記目的を達成するために、本発明の線量計は、第一の演算部と、第二の演算部と、外部機器を検出する外部機器接続検出部と、無線通信手段とを備え、前記外部機器接続検出部からの信号により、前記無線通信手段と前記第一の演算部との接続および前記無線通信手段と前記第二の演算部との接続を切り替える。
【００１２】
また、本発明の線量計は、無線通信手段が第一の演算部と第二の演算部のどちらか一方に接続される。
【００１３】
また、本発明の線量計は、無線通信手段が赤外線通信手段である。
【００１４】
また、本発明の線量計は、外部機器接続検出部が充電用端子を有し、充電用端子の電圧値又は電流値により、接続状態を検出する。
【００１５】
【発明の実施の形態】
本発明の実施の形態について、図１および図２を用いて説明する。線量計１０と、充電器１１または設定器１８と、線量監視装置１４と、線量計管理装置１５により構成される線量計測システムを例として説明する。
【００１６】
図１に充電器を接続した時の線量計測システムのブロック図を示す。
【００１７】
図２に設定器を接続した時の線量計測システムのブロック図を示す。
【００１８】
本発明の線量計１０は、放射線を検出するセンサ部１と、測定した放射線の被ばく線量などを表示する表示部２と、放射線が規定値を超えた場合など作業者に危険を知らせる警報部３と、測定データなどを記憶するメモリ部４と、線量計１０を構成するセンサ部１や表示部２や警報部３やメモリ部４などの制御を行う第一の演算部５を備える。また、線量計１０は不特定の機器（第一の外部機器という）との通信を行う赤外線通信部７を有する。この線量計１０は充電器１１または設定器１８（第二の外部機器という）との間で赤外線通信部７によって赤外線通信を行う。また、線量計１０は、第二の無線通信手段であるブルートゥース通信部１６の制御を行う第二の演算部６と、赤外線通信部７と第一の演算部５または第二の演算部６との接続の切り替えを行う切替え部８と、線量計１０に対する外部機器の接続の有無を判定し、外部機器が接続されている場合には、接続された第二の外部機器である充電器１１あるいは設定器１８を識別して切替え部８への信号を出力する外部機器接続検出部９と、第二の演算部６からの信号を第二の無線通信手段であるブルートゥース通信部１６に伝達するポート１７を具備する。
【００１９】
線量計１０に接続される充電器１１は、線量計１０に充電用の電力を供給する充電用端子１２と、線量計１０とデータの送受信を行う無線通信部１３を具備する。
【００２０】
線量計１０に接続される設定器１８は、ブルートゥース通信部１６の制御を行う第二の演算部６の設定を行う設定データを有しており、第二の演算部６に設定データを送信する。
【００２１】
本説明では、外部機器接続検出部９は、例えば電圧値が０Ｖであれば外部機器接続なし、電圧値が０．１Ｖ以上４Ｖ未満であれば外部機器である設定器１８に接続している、４Ｖ以上であれば外部機器である充電器１１に接続していると判断する。そして、外部機器接続検出部９は設定器１８に接続していると判断した場合、切替え部８に対し赤外線通信部７を第二の演算部６に接続するように指示する信号を出力し、充電器１１に接続していると判断した場合、切替え部８に対し無線通信部７を第一の演算部５に接続するように指示する信号を出力する。
【００２２】
最初に、線量計１０に充電器１１が接続されていない状態における無線通信部７の切替え動作を説明する。
【００２３】
外部機器接続検出部９は、外部機器との接続を判断するため電圧値の測定を行い、測定値と予め設定された基準値とを比較することにより、充電器接続なしと判断する。外部機器接続検出部９は、切替え部８に対し赤外線通信部７を第一の演算部５に接続するように指示する信号を出力する。切替え部８は、赤外線通信部７を第一の演算部５に接続する。これらの手順により、第一の演算部５は赤外線通信部７を介して外部機器にデータの送受信を行うことが可能となる。
【００２４】
次に線量計１０に充電器１１が接続されていない状態における放射線量測定動作を説明する。センサ部１は、入射した放射線をパルスとして第一の演算部５に出力する。第一の演算部５は、入力されたパルスをカウントし被ばく線量とするための演算を行い、その演算結果を線量値として表示部２に表示する。同時に線量値は、メモリ部４に記憶される。第一の演算部５は、メモリ部４に記憶された線量値を赤外線通信部７を介して外部機器、例えば線量監視装置１４にデータとして出力する。
【００２５】
次に線量計１０に設定器１８が接続されている状態における赤外線通信部７の切替え動作を説明する。
【００２６】
外部機器接続検出部９は、設定用端子１９の電圧値を測定し、測定値と予め設定された基準値とを比較することにより、設定器１８に接続していると判断する。外部機器接続検出部９は、切替え部８に対し赤外線通信部７を第二の演算部６に接続するように指示する信号を出力する。切替え部８は、赤外線通信部７を第二の演算部６に接続するとともに第一の演算部５に対し無線通信部７を第二の演算部６に接続したことを示す信号（以下、通信停止信号）を出力する。これらの手順より、第二の演算部６は赤外線通信部７を介して設定器１８とデータの送受信を行う。
【００２７】
次に線量計１０に設定器１８が接続されている状態における測定動作を説明する。センサ部１は、入射した放射線をパルスとして第一の演算部５に出力する。第一の演算部５は、入力されたパルスをカウントし被ばく線量とするための演算を行い、その演算結果を線量値として表示部２に表示する。同時に線量値は、メモリ部４に記憶される。第一の演算部５は、通信停止信号を受信し、データの送受信を一旦停止する。
【００２８】
第二の演算部６は、赤外線通信部７を介して設定器１８の無線通信部１３とデータの送受信を行う。例えば、設定器１８の無線通信部１３に線量計１０を管理するための線量計管理装置１５が接続されており、線量計１０の制御プログラムや設定条件などを線量計１０に入力することができる。
【００２９】
以上により、ブルートゥース通信部１６の制御を行う第二の演算部６の設定を設定器からデータを受信して行う場合、第一の演算部５を介すと第一の演算部５の負担が大きくなり、第一の演算部５が本来行う線量データの演算などの処理が遅滞するが、切替え部８により赤外線通信部７を第二の演算部６に接続することにより、第一の演算部５を介さず第二の演算部６の設定が可能となり、第一の演算部５の処理が遅滞することもないので、第一の演算部５の本来業務処理と第二の演算部６の設定を効率的に行うことができる。
【００３０】
次に線量計１０に充電器１１が接続されている状態における赤外線通信部７の切替え動作を説明する。
【００３１】
外部機器接続検出部９は、充電用端子１２の電圧値を測定し、測定値と予め設定された基準値とを比較することにより、充電器１１に接続していると判断する。外部機器接続検出部９は、切替え部８に対し赤外線通信部７を第一の演算部５に接続するように指示する信号を出力する。切替え部８は、赤外線通信部７を第一の演算部５に接続する。これにより、第一の演算部５は赤外線通信部７を介し、充電中においても外部機器とのデータの送受信を行うことができる。
【００３２】
なお、本実施の形態では、電圧を測定することにより外部機器である設定器１８または充電器１１との接続の判断を行ったが、電流を測定することにより判断しても良い。
【００３３】
また、本実施の形態では、赤外線通信部７とブルートゥース通信部１６について説明したが、これらの通信部はこれらの通信方法に限られるものではない。
【００３４】
【発明の効果】
以上のように本発明の線量計によれば、外部機器を識別する外部機器接続検出部の信号により第一の演算部及び第二の演算部と無線通信部との接続を切り替える切替え部を設けることにより、第一の演算部及び第二の演算部の処理効率を向上させることができる。
【図面の簡単な説明】
【図１】充電器に接続した時の線量計測システムのブロック図
【図２】設定器に接続した時の線量計測システムのブロック図
【図３】演算部を複数設けた線量計のブロック図
【符号の説明】
１　センサ部
２　表示部
３　警報部
４　メモリ部
５　第一の演算部
６　第二の演算部
７　赤外線通信部
８　切替え部
９　外部機器接続検出部
１０　線量計
１１　充電器
１２　充電用端子
１３　無線通信部
１４　線量監視装置
１５　線量計管理装置
１６　ブルートゥース通信部
１７　ポート
１８　設定器
１９　設定用端子
２０　線量計
【図１】
2004028718.tif 000003
【図２】
2004028718.tif 000004
【図３】
2004028718.tif 000005